(57)【要約】【課題】各駆動コイル体を接続する連結基板をレンズホルダーの側面に取り付けていたので、レンズホルダーの重量バランスが悪くローリングが発生し易くなる問題があった。【解決手段】レンズホルダー４を挟んだ両側に対向配置された一対の磁石５，６にそれぞれ対向するべく前記レンズホルダー４に装着される一対の駆動コイル体８，９を備え、各駆動コイル体８，９を連結する連結基板１８をレンズホルダー４の対物レンズ７の取付面と逆側の底面側に設置している。これにより各駆動コイル体８，９の連結を行うと共に、連結基板１８が設置されていない状態において対物レンズ７の取付面側に片寄っているレンズホルダー４の重心を中央に近づける。【選択図】    図１
2005011402.tif 000002
【特許請求の範囲】
【請求項１】
対物レンズが取り付けられるレンズホルダーがフレームに変位可能に弾性的に支持される対物レンズ駆動装置であって、前記レンズホルダーを挟んだ両側に対向配置された一対の磁石と、これらの各磁石にそれぞれ対向するべく前記レンズホルダーに装着される一対の駆動コイル体とを備え、各駆動コイル体を連結する連結基板を前記レンズホルダーの対物レンズの取付面と逆側の底面側に設置したことを特徴とする対物レンズ駆動装置。
【請求項２】
前記駆動コイル体はプリントコイルがパターンとして形成されるプリント基板により構成されることを特徴とする請求項１記載の対物レンズ駆動装置。
【請求項３】
レンズホルダーは複数のサスペンションワイヤーによってフレームに対して変位可能に支持され、前記各サスペンションワイヤーの先端を駆動コイル体を構成する一方のプリント基板に直接ハンダ付けすることを特徴とする請求項２記載の対物レンズ駆動装置。
【発明の詳細な説明】
【０００１】
【発明の属する技術分野】
本発明は、対物レンズが取り付けられるレンズホルダーがフレームに変位可能に弾性的に支持される対物レンズ駆動装置に関し、特に、レンズホルダーに装着される一対の駆動コイル体の連結の仕方を工夫した対物レンズ駆動装置に関する。
【０００２】
【従来の技術】
ディスク等の信号記録媒体に対して光学的に信号の読み取り、あるいは書き込みを行う光学ヘッドにおける対物レンズ駆動装置においては、周知のように、対物レンズが取り付けられたレンズホルダーをフレームに対して変位可能に支持し、フォーカシングコイル及びトラッキングコイル等の駆動コイル体を前記レンズホルダーに装着すると共に、前記駆動コイル体の使用部分を磁気回路により形成される所定の磁界内に配置することにより前記駆動コイル体に供給する信号に応じて対物レンズを駆動する構成となっている。
【０００３】
ところで、対物レンズ駆動装置においては、対物レンズをレンズホルダーの中央に配置し、レンズホルダーを挟んだ両側に磁気回路を形成する一対の磁石を対向配置すると共に、これらの各磁石にそれぞれ対向する一対の駆動コイル体を前記レンズホルダーに装着し、対物レンズを中心にレンズホルダー及び磁気回路を対称な構成として良好な特性を得られるようにする場合が多い。
【０００４】
ところで、一対の駆動コイル体がレンズホルダーの両側に配置され、各駆動コイル体にフォーカシングコイル及びトラッキングコイル、あるいはチルトコイルがそれぞれ存在するので、各駆動コイル体の同種のコイル同士を電気的に接続しており、駆動コイル体が一般的な巻き線を使用する場合には同種のコイル同士を連続して巻回していた。
【０００５】
一方、駆動コイル体をプリントコイルがパターンとして形成されるプリント基板により構成した対物レンズ駆動装置が知られている（例えば、特許文献１参照）。
【０００６】
このような駆動コイル体をプリント基板により構成した対物レンズ駆動装置においては、巻き線により同種のコイル同士を連続させることができないので、各駆動コイル体のプリント基板同士を連結基板により接続していた。
【０００７】
【特許文献１】
特開２００２−１５０５８４号公報
【０００８】
【発明が解決しようとする課題】
ところで、接続基板により各駆動コイル体のプリント基板同士を連結した対物レンズ駆動装置は、従来、上記特許文献１に示されるように、連結基板をレンズホルダーの側面に取り付けていた。
【０００９】
その為，レンズホルダーの重量バランスが悪くローリングが発生し易くなる問題があった。特に，連結基板を各駆動コイル体のプリント基板にハンダ付けにより接続することになるが、このハンダの重量による影響も大きくレンズホルダーの重量バランスの悪化をもたらした。
【００１０】
【課題を解決するための手段】
本発明は、レンズホルダーを挟んだ両側に対向配置された一対の磁石にそれぞれ対向するべく前記レンズホルダーに装着される一対の駆動コイル体を備え、各駆動コイル体を連結する連結基板を前記レンズホルダーの対物レンズの取付面と逆側の底面側に設置している。これにより各駆動コイル体の連結を行うと共に、連結基板が設置されていない状態において対物レンズの取付面側に片寄っているレンズホルダーの重心を中央に近づける。
【００１１】
【実施例】
図１は本発明に係る対物レンズ駆動装置の一例の完成状態を示す斜視図、図２は図１の対物レンズ駆動装置のフレーム部分を除いた展開斜視図、図３は図２と別角度から示す展開斜視図である。
【００１２】
フレーム１は軟鉄の金属板を板金加工して一体にヨーク２，３が形成され、このヨーク２，３にはレンズホルダー４を挟んだ両側に対向配置されるべく一対の永久磁石５，６がそれぞれ付設されている。
【００１３】
レンズホルダー４には上面に対物レンズ７が取り付けられ、また、レンズホルダー４の前記各永久磁石５，６にそれぞれ対向する側面には駆動コイル体８，９が接着固定により装着されている。
【００１４】
前記駆動コイル体８，９は、図示の如く、それぞれフォーカスコイル１０、トラッキングコイル１１ａ，１１ｂ及びチルトコイル１２がプリントコイルのパターンとして形成されるプリント基板により構成され、これらの各駆動コイル１０，１１ａ，１１ｂ，１２のパターン位置及び巻回方向は各プリント基板の両面に面対称に形成されている。
【００１５】
レンズホルダー４の駆動コイル体８，９の各装着面と隣り合う各側面には、それぞれの側面で互いに平行に配置される３本ずつの支持ワイヤー１３に接着固定される突部１４が形成されており、レンズホルダー４の各側の３本ずつ、合わせて６本の支持ワイヤー１３の各一端はフレーム１の切り起こし部１ａに補助部材１５と一緒に固定される固定基板１６に固定されている。
【００１６】
これによりレンズホルダー４は、６本の支持ワイヤー１３によりフレーム１にフォーカス方向及びトラッキング方向に変位可能に弾性的に支持される。
【００１７】
６本の支持ワイヤー１３の固定基板１６に固定される端部ではないもう一方の各端部は一方のコイル体８に突き当てられてハンダ付けにより所定の支持ワイヤー１３と駆動コイル体８の所定の駆動コイルとがそれぞれ関係付けられて接続される。
【００１８】
また、補助部材１５の左右３本ずつの支持ワイヤー１３が貫通される各孔１７にはダンプ剤が充填され、各支持ワイヤー１３の制振が図られている。
【００１９】
ところで、各永久磁石５，６は図４に示すように面方向に４領域に区分されるように着磁されており、駆動コイル体８，９とフォーカスコイル１０、トラッキングコイル１１ａ，１１ｂ及びチルトコイル１２との位置関係は図５に示す如く、各駆動コイルをそれぞれ二分するように永久磁石５，６の着磁の領域及び各駆動コイルのパターン形成位置が設定されている。
【００２０】
したがって、各駆動コイルにそれぞれ駆動電流が供給されると、各駆動電流の大きさ及び極性に応じて駆動コイル体８，９に駆動力が発生し、レンズホルダー４が各駆動電流の大きさ及び極性に応じて駆動される。
【００２１】
すなわち、フォーカスコイル１０はレンズホルダー４の側面の中央に配置されると共に、上下を二分して相違する磁極からの磁界内に配置されていることによりフォーカスコイル１０にフォーカスエラー信号の駆動電流が供給されると、レンズホルダー４は対物レンズ７の光軸方向のフォーカス方向に駆動される。
【００２２】
また、トラッキングコイル１１ａ，１１ｂはフォーカスコイル１０の一方側の脇に縦に並んで配置されると共に、左右を二分して相違する磁極からの磁界内に配置され、かつ各トラッキングコイル１１ａ，１１ｂ同士が互いに逆向きに巻回されていると共に、各トラッキングコイル１１ａ，１１ｂが互いに相違する磁極からの磁界内に配置していることによりトラッキングコイル１１ａ，１１ｂにトラッキングエラー信号の駆動電流が供給されると、レンズホルダー４は対物レンズ７の光軸と直交する方向のトラッキング方向に駆動される。
【００２３】
また、チルトコイル１２はフォーカスコイル１０の他方側の脇にレンズホルダー４の側面の中央から外れて配置されると共に、上下を二分して相違する磁極からの磁界内に配置されていることによりチルトコイル１２にチルトエラー信号の駆動電流が供給されると、レンズホルダー４は対物レンズ７の光軸を傾ける方向のチルト方向に駆動される。
【００２４】
ここで、各駆動コイル１０，１１ａ，１１ｂ，１２は各駆動コイル体８，９の各プリント基板の両面に設けられており、パターン位置及び巻回方向が各プリント基板の両面に面対称に形成されているので、各駆動電流に対して各プリント基板の両面で同一方向の駆動力が発生する。
【００２５】
また、各永久磁石２，３及び各駆動コイル体８，９は対物レンズ７の光軸を中心にして線対称に設定されていると共に、フォーカスコイル１０は正相に接続され、トラッキングコイル１１ａ，１１ｂ及びチルトコイル１２は逆相に接続されており、フォーカスコイル１０及びトラッキングコイル１１ａ，１１ｂに供給される各駆動電流に対して各駆動コイル体８，９で同一方向の駆動力が発生し、チルトコイル１２に供給される駆動電流に対して各駆動コイル体８，９で逆方向の駆動力が発生する。
【００２６】
各駆動コイル体８，９において各チルトコイル１２は対物レンズ７の光軸を中心にして線対称に配置されているので、各駆動コイル体８，９で逆方向の駆動力が発生されることによりレンズホルダー４が傾けられ、チルト制御が行われる。
【００２７】
ところで、レンズホルダー４の対物レンズ７の取付面と逆側の底面側には中央に光路用の透孔１９が形成される連結基板１８が設置され、この連結基板１８により各駆動コイル体８，９は連結されている。
【００２８】
各駆動コイル体８，９及び連結基板１８にはそれぞれ接合部分にランド領域１９及び２０が形成されており、これらのランド領域１９及び２０がハンダ付けされることで連結基板１８により各駆動コイル体８，９同士が連結される。
【００２９】
この連結基板１８による各駆動コイル体８，９同士の連結により各駆動コイル体８，９の同種の各駆動コイル同士が正しい極性に接続される。
【００３０】
また、各支持ワイヤー１３の各一端が固定される固定基板１６から遠い位置にある駆動コイル体８には、図６に示し如く、各支持ワイヤー１３の各他端が突き当てられる部分にランド領域２２が形成されており、このランド領域２２に各支持ワイヤー１３の各他端をそれぞれハンダ付けすることで各支持ワイヤー１３と前記駆動コイル体８との連結が行われる。
【００３１】
これにより供給側となる所定の３本の各支持ワイヤー１３を介して駆動コイル体８の各駆動コイル１０，１１ａ，１１ｂ，１２にそれぞれ対応する各種駆動電流が供給され、その後、連結基板１８を介してもう一方の駆動コイル体９の各駆動コイル１０，１１ａ，１１ｂ，１２にそれぞれ対応する各種駆動電流が供給される。そして、この駆動コイル体９の各駆動コイル１０，１１ａ，１１ｂ，１２を流れた各種駆動電流は連結基板１８を介し、各支持ワイヤー１３がハンダ付けされる駆動コイル体８を中継して供給側とは別の３本の各支持ワイヤー１３を介して導出される。
【００３２】
このように連結基板１８を介して各駆動コイル体８，９の各駆動コイル１０，１１ａ，１１ｂ，１２同士が連結されており、かつ一方の駆動コイル体８を中継して各駆動コイル体８，９の各駆動コイル１０，１１ａ，１１ｂ，１２は各支持ワイヤー１３に連結されている。
【００３３】
ところで、連結基板１８はレンズホルダー４の対物レンズ７の取付面と逆側の底面側に設置されている。その為、レンズホルダー４の底面側に連結基板１８の重さ及び連結に用いられるハンダの重さが加わって連結基板１８が設置されていない状態において対物レンズ７の取付面側に片寄っているレンズホルダー４の重心が中央に近づけられ、レンズホルダー４の重量バランスが良好となる。
【００３４】
しかも、各駆動コイル体８，９の底辺側を連結基板１８により接続すると共に、この連結基板１８をレンズホルダー４の底面に設置しているので、レンズホルダー４の剛性向上が図れる。
【００３５】
【発明の効果】
以上述べた如く、本発明によれば、レンズホルダーの対物レンズの取付面と逆側の底面側に連結基板を設置して各駆動コイル体を連結しているので、レンズホルダーの重量バランスが良好となり、ローリング発生の抑制を図った対物レンズ駆動装置が提供できる。
【００３６】
また、連結基板の設置により各駆動コイル体間及びレンズホルダーが底面側で連結されるので、剛性向上が図れ、高次共振に有利となる。
【図面の簡単な説明】
【図１】本発明に係る対物レンズ駆動装置の一例の完成状態を示す斜視図である。
【図２】図１の対物レンズ駆動装置のフレーム部分を除いた展開斜視図である。
【図３】図１の対物レンズ駆動装置のフレーム部分を除いた図２とは別角度から示す展開斜視図である。
【図４】各永久磁石５，６の着磁を説明する説明図である。
【図５】永久磁石５，６の着磁の領域と駆動コイル体８，９の各駆動コイルのパターンとの位置関係を説明する説明図である。
【図６】各支持ワイヤー１３の各先端を駆動コイル体８に接続することを説明する説明図である。
【符号の説明】
１          フレーム
２，３      ヨーク
４          レンズホルダー
５，６      永久磁石
７          対物レンズ
８，９      駆動コイル体
１０          フォーカシングコイル
１１ａ，１１ｂ          トラッキングコイル
１２          チルトコイル
１３          支持ワイヤー
１８          連結基板
【図１】
2005011402.tif 000003
【図２】
2005011402.tif 000004
【図３】
2005011402.tif 000005
【図４】
2005011402.tif 000006
【図５】
2005011402.tif 000007
【図６】
2005011402.tif 000008